(57)【要約】【課題】  簡単な構成で良好な体感を提供するスピーカ装置を提供する。【解決手段】  略長方形筒状の枠状部１１１の四隅近傍から内方中心に向けて突設したブリッジ部１１２の先端に略円筒状の保持部１１３を一体的に設け、フレーム１１０を構成する。保持部に磁気回路を形成する磁性体１２１を保持し、枠状部１１１の内周面に磁気回路上にボイスコイル１２３が位置する状態に振動板１２２の周縁を取り付け、枠状部１１１の内周を閉塞して振動板１２２を張設しフレーム１１０にスピーカ本体１２０を配設する。振動板１２２を気密室１３２を区画して覆う状態に薄膜状の覆い体１３０をフレーム１１０に取り付ける。覆い体１３０のほぼ全面が振動板１２２の振動に対応して振動し、接触する位置を問わず簡単な構成で良好な体感を提供できる。【選択図】  図１
2006025370.tif 000002
【特許請求の範囲】
【請求項１】
薄膜状の振動板と、
磁気回路を形成する磁性体と、
前記磁気回路上に位置して振動板に一体的に設けられたボイスコイルと、
前記振動板の少なくとも一面側を覆い前記振動板の振動に応じて振動可能な薄膜状の覆い体と、
を具備したことを特徴としたスピーカ装置。
【請求項２】
請求項１に記載のスピーカ装置であって、
前記覆い体は、前記振動板の少なくとも一面側に略気密な気密室を区画する状態に設けられた
ことを特徴としたスピーカ装置。
【請求項３】
薄膜状の振動板と、
磁気回路を形成する磁性体と、
前記磁気回路上に位置して振動板に一体的に設けられたボイスコイルと、
少なくとも前記振動板の一面側に略気密な内部空間を区画して前記振動板の少なくとも一面側を覆う薄膜状の覆い体と、
を具備したことを特徴としたスピーカ装置。
【請求項４】
請求項１ないし請求項３のいずれかに記載のスピーカ装置であって、
前記覆い体は、前記振動板の両面側にそれぞれ設けられた
ことを特徴としたスピーカ装置。
【請求項５】
内部に略気密な内部空間を有し薄膜部材にて形成された覆い体と、
この覆い体の内部空間内に配設され、振動板、この振動板に一体的に設けられたボイスコイルおよび磁性体を備えたスピーカ本体と、
を具備したことを特徴としたスピーカ装置。
【請求項６】
請求項５に記載のスピーカ装置であって、
前記振動板は、前記覆い体の内部空間を区画する状態に設けられた
ことを特徴としたスピーカ装置。
【請求項７】
請求項１ないし請求項６のいずれかに記載のスピーカ装置であって、
前記振動板の周縁および前記磁性体を保持するフレームを具備し、
前記覆い体は、前記振動板を覆う状態で前記フレームに設けられた
ことを特徴としたスピーカ装置。
【請求項８】
請求項７に記載のスピーカ装置であって、
前記フレームは、磁性体を保持する保持部と、前記振動板の周縁を保持する枠状部と、前記保持部および前記枠状部とを連結するブリッジ部と、を備えた
ことを特徴としたスピーカ装置。
【請求項９】
請求項１ないし請求項８のいずれかに記載のスピーカ装置であって、
前記覆い体と前記振動板との間に区画される内部空間を外部と連通可能に閉塞する弁体を具備した
ことを特徴としたスピーカ装置。
【発明の詳細な説明】
【技術分野】
【０００１】
本発明は、振動板を覆う覆い体を備えたスピーカ装置に関する。
【背景技術】
【０００２】
従来、利用者に振動を付与する体感機能を備えた椅子が知られている。これら従来の体感機能を備えた椅子は、椅子のシート部分に配設された変換器などにより振動を付与する構成が採られている（例えば、特許文献１ないし特許文献３参照）。
【０００３】
特許文献１に記載のものは、内部が空洞でほぼ密閉状態の中空のプラスチック成形品で構成したチェアー本体の座面に、振動板だけからなる複数個のパッシブラジエータを取り付けている。また、このチェアーは、チェアー本体の底部には、パッシブラジエータの下部に対向して、パッシブラジエータを駆動励振するドライバを固定用ボックスにて取り付けている。そして、チェアーは、アンプを経た振動信号が印加されたドライバの振動が、密閉状態となったチェアー本体の内部の圧力変化を介してパッシブラジエータの振動板を振動させ、パッシブラジエータに接触している人体に体感として感じることができる構成が採られている。
【０００４】
また、特許文献２に記載のものは、椅子型の体感者支持体を備えている。体感者支持体の枕部に制御手段に増幅器を介して接続するスピーカを内蔵するとともに、背当て部および脚支持部に増幅器で増幅された音響信号を機械的振動に変換する複数個の変換器を設けている。
【０００５】
さらに、特許文献３に記載のものは、背もたれ部にスピーカおよび振動ユニットを設けている。この音楽鑑賞用椅子は、座った人が音楽を聴取すると共にオーディオ信号のテンポに同調した振動を振動ユニットにより体感できる構成が採られている。
【０００６】
【特許文献１】特開平８−１６３６７５号公報（第２頁右欄−第３頁左欄、図１）
【特許文献２】特開２００１−８６５８１号公報（第３頁左欄−第４頁右欄、図１）
【特許文献３】特開２００２−２９１５７９公報（第３頁左欄−第４頁左欄、図１）
【発明の開示】
【発明が解決しようとする課題】
【０００７】
しかしながら、上記特許文献１ないし特許文献３に記載のような従来の体感機能を備えた椅子では、振動を生じる構成が１箇所あるいは複数箇所設けた構成としているので、その位置に利用者が接触していないと十分な振動を体感できない。このため、利用者毎に体格が異なるので得られる体感も異なる問題が一例として挙げられる。また、利用者の体格に係わらず利用者毎の体感の差異が生じないように構成するには、例えば振動を生じる構成を多量に配設する必要があり、装置構成が複雑となる問題が一例として挙げられる。
【０００８】
本発明では、このような点に鑑み、簡単な構成で良好な体感が得られるスピーカ装置を提供することを目的とする。
【課題を解決するための手段】
【０００９】
請求項１に記載の発明は、薄膜状の振動板と、磁気回路を形成する磁性体と、前記磁気回路上に位置して振動板に一体的に設けられたボイスコイルと、前記振動板の少なくとも一面側を覆い前記振動板の振動に応じて振動可能な薄膜状の覆い体と、を具備したことを特徴としたスピーカ装置である。
【００１０】
請求項３に記載の発明は、薄膜状の振動板と、磁気回路を形成する磁性体と、前記磁気回路上に位置して振動板に一体的に設けられたボイスコイルと、少なくとも前記振動板の一面側に略気密な内部空間を区画して前記振動板の少なくとも一面側を覆う薄膜状の覆い体と、を具備したことを特徴としたスピーカ装置である。
【００１１】
請求項５に記載の発明は、内部に略気密な内部空間を有し薄膜部材にて形成された覆い体と、この覆い体の内部空間内に配設され、振動板、この振動板に一体的に設けられたボイスコイルおよび磁性体を備えたスピーカ本体と、を具備したことを特徴としたスピーカ装置である。
【発明を実施するための最良の形態】
【００１２】
〔第１の実施の形態〕
以下に、本発明の第１の実施の形態を図面に基づいて説明する。本実施の形態では、本発明のスピーカ装置を寝具であるマットレスとして利用する構成を例示して説明するが、これに限らず、例えばクッションや椅子などとしても利用できる。図１は、本実施の形態におけるマットレスの概略構成を示す断面図である。図２は、マットレスの概略構成を示す分解斜視図である。図３は、マットレスの概略構成を示す弁体の位置における加圧状態の断面図である。
【００１３】
（マットレスの構成）
図１において、１００はスピーカ装置としてのマットレスで、このマットレス１００は、図示しないベッドの寝具として利用するもので、音信号を音として出力するとともに音信号に対応した振動を体感として提供する構成が採られている。そして、このマットレス１００は、フレーム１１０と、スピーカ本体１２０と、覆い体１３０と、を備えている。
【００１４】
フレーム１１０は、例えば硬質合成樹脂や軽量金属、木材などにて形成され、枠状部１１１と、ブリッジ部１１２と、保持部１１３と、を備えている。枠状部１１１は、略長方形の四角筒状に形成され、四隅は略円弧状に湾曲して形成されている。この枠状部１１１には、音信号が入力される端子１１４が設けられている。また、枠状部１１１の内周面には、軸方向における中心より一端側に変位した四隅近傍から中心に向けて突出するブリッジ部１１２が一体的に複数設けられている。また、これらブリッジ部１１２の先端部には、略円筒状の保持部１１３が一体的に設けられている。
【００１５】
スピーカ本体１２０は、磁性体１２１と、振動板１２２と、ボイスコイル１２３と、を備えている。また、磁性体１２１は、例えば、磁性材料にて形成された図示しない上ヨークおよび下ヨークと、リング状に形成され上ヨークおよび下ヨークに挾持固定された図示しない磁石とを備えている。そして、磁性体１２１は、磁石と上ヨークおよび下ヨークとにて磁気回路を構成し、フレーム１１０の保持部に例えば接着剤などにて一体的に取付固定される。なお、磁性体１２１の構成は、内磁型、外磁型など、いずれの形態が利用できる。
【００１６】
振動板１２２は、例えば繊維を主成分として抄造である抄紙処理や合成樹脂の射出成形、金属薄板のプレス加工などにより、枠状部１１１の形状と略同形状の長方形の薄膜シート状に形成されている。そして、振動板１２２の周縁近傍には、断面が波形状に屈曲形成されたエッジ部１２２Ａが設けられている。また、エッジ部１２２Ａの外周縁には、フレーム１１０の枠状部１１１の内周面に取付固定される図示しない取付鍔部が設けられている。さらに、振動板１２２には、コイルボビン１２２Ｂが一体的に設けられている。このコイルボビン１２２Ｂは、振動板１２２と同材質で円筒状に形成されている。そして、コイルボビン１２２Ｂは、軸方向の一端側が例えば接着剤などにて振動板１２２の略中央に一体的に取り付けられている。そして、振動板１２２は、取付鍔部が枠状部１１１にこの枠状部１１１の軸方向の略中央で取り付けられ、コイルボビン１２２Ｂが磁性体１２１の磁気回路上に位置する状態で枠状部１１１の内周を閉塞する状態に張設される。なお、フレーム１１０への振動板１２２の取付としては、取付鍔部の接着や、フレーム１１０を２部材にて構成して取付鍔部を挾持固定する構成などが例示できるが、これらの方法に限らず、いずれの方法で配設できる。
【００１７】
ボイスコイル１２３は、コイルボビン１２２Ｂの外周面に巻装されている。このボイスコイル１２３は、磁性体１２１の磁気回路上に位置する状態に巻装されている。そして、ボイスコイル１２３の線材の両端部の引き出し線１２３Ａが引き出され、これら引き出し線１２３Ａがフレーム１１０の端子１１４に接続されて音データの入力端となっている。なお、この引き出し線１２３Ａは、フレーム１１０のブリッジ部１１２を介して枠状部１１１に設けた端子１１４まで配線することが好ましい。
【００１８】
覆い体１３０は、例えば合成樹脂やゴムなどの薄膜状の部材にて、フレーム１１０の枠状部１１１の形状と略同形状で一面側を開口する略矩形ドーム状に形成された覆い体としての一面覆い体１３１を一対備えている。すなわち、一面覆い体１３１は、フレーム１１０の枠状部１１１の外周面に対応する略長方形シート状の接触面部１３１Ａと、この接触面部１３１Ａの周囲に一連に設けられ枠状部１１１の外周面に対応した略四角筒状の取付面部１３１Ｂとを備え、一面が開口する略矩形ドーム状に形成されている。そして、覆い体１３０は、一面覆い体１３１の接触面部１３１Ａが枠状部１１１の軸方向の端面をそれぞれ閉塞する状態に、取付面部１３１Ｂが枠状部１１１の外周面に略気密に接着され、覆い体１３０がスピーカ本体１２０をフレーム１１０とともに略気密に内包する状態に構成される。この取り付けられた状態では、振動板１２２と接触面部１３１Ａとの間に略気密な内部空間となる気密室１３２がそれぞれ区画形成される。この気密室１３２は、例えば空気が略気密に封入されている。なお、気体としては、空気、窒素ガス、二酸化炭素ガス、ヘリウムガスなどの不活性ガスなど、いずれの気体が利用できる。また、羽毛などの軟質部材や軽量部材など、振動板の振動に大きな影響を与えない固体を封入してもよい。
【００１９】
マットレス１００には、例えば図３に示すように、弁体１４０が設けられている。この弁体１４０は、例えばフレーム１１０の枠状部１１１に覆い体１３０を貫通する状態に設けられ、覆い体１３０と振動板１２２との間に区画される各気密室１３２をそれぞれ外部と連通可能に閉塞する構成が採られている。すなわち、弁体１４０は、空気や不活性ガスなどの気体を気密室１３２内へ流入、あるいは、気密室１３２内の気体を外部へ流出可能に構成されている。この図３は、気密室１３２内が大気圧より高い圧力となった状態を例示し、フレーム１１０、磁性体１２１、コイルボビン１２２Ｂおよびボイスコイル１２３は省略した模式図である。なお、弁体１４０は、例えばポンプなどにより大気圧より高い圧力で覆い体１３０に張力がさらに作用する状態に気体を流入させたり、覆い体１３０にあまり張力が生じない程度に外部へ気体を流出させたりすることが可能に構成されているが、ポンプを利用する構成に限らず、例えば風船のように、利用者が直接流入させたり、マットレス１００を押し潰すようにして流出させるなど、いずれの構成が適用できる。
【００２０】
（マットレスの動作）
次に、上記マットレス１００の動作を図面を参照して説明する。なお、この第１の実施の形態において、床面１０上に載置して利用する形態を例示するが、ベッドに設置して利用したり、水上で利用したりするなど、いずれの形態で利用可能である。図４は、マットレスの使用状況を示す説明図である。
【００２１】
まず、マットレス１００を床面１０上に載置する。そして、マットレス１００の端子１１４に、音データを出力する図示しない出力装置の出力端子を接続する。ここで、出力装置としては、テレビジョン、ラジオ、音響機器、パーソナルコンピュータ、記録媒体に記録された音データを読み取って出力するプレーヤなどが例示できる。また、記録媒体としては、ＣＤ（Compact Disc）やＤＶＤ（Digital Versatile Disc）などの光ディスクあるいは光磁気ディスク、ＨＤ（Hard Disk）やＦＤ（Flexible Disk）などの磁気ディスク、メモリカードなどが例示できる。なお、音データとしては、ボイスコイルに流れる電流によりボイスコイルがコイルボビンを軸方向で移動可能ないずれの信号（電流）が利用でき、このような電気信号を出力するいずれの機器を対象とでき、例えば目覚まし機能付き時計などを利用することも例示できる。
【００２２】
そして、出力装置からの音データが端子１１４に入力されると、音データの出力の大きさに対応してコイルボビン１２２Ｂが軸方向に移動し、振動板１２２が振動する。この振動により、振動板１２２の両面に区画された気密室１３２内の空気が拡縮され、この拡縮の状態に対応して覆い体１３０の接触面部１３１Ａが振動する。図３に示すように、利用者Ｘがマットレス１００上に横になった状態では、覆い体１３０内は気密室１３２が区画された中空であることから、利用者Ｘの体格に対応して接触面部１３１Ａが密着する状態となる。このことにより、気密室１３２内の拡縮に応じた振動が利用者Ｘに良好に伝達され、音データに対応した体感および再生される音の聴取が良好に得られる。
【００２３】
（マットレスの作用効果）
上述したように、上記第１の実施の形態では、磁性体１２１にて形成する磁気回路上に位置するボイスコイル１２３を一体的に設けた薄膜状の振動板１２２の少なくとも一面側を覆い振動板１２２の振動に応じて振動可能な薄膜状の覆い体１３０を設けている。このため、振動板１２２を覆う覆い体１３０が振動板１２２の音データに応じた振動により振動板１２２との間の間隙となる気密室１３２の空気の拡縮により、マットレス１００の覆い体１３０における接触面部１３１Ａの全面でほぼ同等の振動が得られ、マットレス１００のいずれの位置に横たわっても、振動板１２２の振動が直接的に体感として良好に得られる。特に、略気密な気密室１３２を振動板１２２とにより区画形成する状態に覆い体１３０を設けることにより、覆い体１３０に利用者Ｘが接触する状態でも、振動板１２２の振動に対応した振動が利用者Ｘの体格に応じて良好に伝達でき、体格を問わず良好な体感を提供できる。
【００２４】
そして、気密室１３２を区画する状態に覆い体１３０を設けているので、振動板１２２の振動を直接的に覆い体１３０に伝達する構成が容易に得られ、製造性の向上が得られ、安価な提供が容易にできる。
【００２５】
また、振動板１２２の両面側に気密室１３２を区画する状態に振動板１２２を覆うように覆い体１３０を設けている。このため、マットレス１００としていずれの面でも利用でき、使い勝手を向上できる。
【００２６】
さらに、スピーカ本体１２０を内包する状態に覆い体１３０を形成している。このため、良好に振動を利用者Ｘに伝達する構成が容易に得られ、製造性の向上が容易に得られる。さらに、スピーカ本体１２０が覆い体１３０にて保護された状態となり、損傷しにくく、使い勝手をより向上できる。さらに、シート状部材にて形成しているので、仮に覆い体が破れたとしても容易に修繕できる。
【００２７】
また、一対の一面覆い体１３１を両面側から覆う状態に取り付けてスピーカ本体１２０を内包する状態の覆い体１３０を形成している。このため、より製造性を向上できる。
【００２８】
そして、振動板１２２の周縁および磁性体１２１を保持するフレーム１１０を用い、このフレーム１１０に覆い体を取り付けている。このため、振動板１２２と覆い体１３０とが接触しない構成が容易に得られ、良好な体感が得られるとともに、マットレス１００として略矩形状に良好に保形でき、使い勝手をより向上できる。
【００２９】
さらに、フレーム１１０の枠状部１１１における軸方向の略中央で振動板１２２が覆い体内を区画する状態に形成している。このため、区画形成される２つの気密室１３２の容積が略同等となり、両面において差異無く良好な体感が得られる。
【００３０】
また、磁性体１２１を保持する保持部１１３と略筒形状の枠状部１１１との間をブリッジ部１１２にて架橋する構成にフレーム１１０を構成している。このため、簡単な構成でマットレス１００内に１つのスピーカ装置を構成することが容易に得られる。
【００３１】
そして、フレーム１１０の枠状部１１１に端子１１４を設けている。このため、マットレス１００のような比較的に大型で覆い体１３０内に内包された状態となるスピーカ本体１２０へ音データを供給する構成が容易に得られる。特に、引き出し線１２３Ａをフレーム１１０のブリッジ部１１２および枠状部１１１の内面で配線することで、容易に製造できる。
【００３２】
また、フレーム１１０の枠状部１１１に、覆い体１３０と振動板１２２との間に区画される気密室１３２を外部と連通可能に閉塞する弁体１４０を設けている。このため、例えば気密室１３２の圧力が低下した場合でも、外部から空気を導入して所定の圧力が得られるように調整でき、使い勝手を向上できる。また、弁体１４０を設けているため、適宜操作して気密室１３２内の空気を引き抜いたり増やして大気圧より高い圧力としたりするなどにより、気密室１３２内の空気の振動状態や覆い体１３０の振動状態を変更できる。このため、音質を変更することができ、より使い勝手を向上できる。
【００３３】
〔第２の実施の形態〕
次に、本発明の第２の実施の形態を図面に基づいて説明する。図５は、第２の実施の形態における椅子の概略構成を示す使用状況の説明図である。図６は、フレームを示す斜視図である。なお、床面上に設置して利用される構成を例示するが、これに限らず、いわゆるチェアと称される脚付きの構成としてもよい。そして、第１の実施の形態と同一の構成については、同一の符号を付して説明を省略あるいは簡略化する。
【００３４】
（椅子の構成）
この図５に示す第２の実施の形態は、本発明のスピーカ装置を椅子として利用する構成を例示したもので、第１の実施の形態における枠状部内を平面視で２つに区画し、それぞれ区画した領域内にスピーカ本体１２０を配設した構成である。すなわち、図５において、２００はスピーカ装置としての椅子で、この椅子２００は、フレーム２１０と、スピーカ本体１２０と、覆い体１３０と、を備えている。
【００３５】
フレーム２１０は、図６に示す枠状部２１１を有している。この枠状部２１１は、例えば保形性を有した合成樹脂や布部材などにて変形可能な部材にて、第１の実施の形態の枠状部１１１を長手方向の略中間で屈曲した形状に形成されている。すなわち、枠状部２１１は、平面視で略く字状に形成された長手板状の一対の側板部２１１Ａと、これら側板部２１１Ａの長手方向の両端部をそれぞれ連結する板状の端板部２１１Ｂと、側板部２１１Ａの折曲する位置で互いに連結する板状の区画壁２１１Ｃと、を備えている。そして、枠状部２１１には、区画壁２１１Ｃにて、２つのスピーカ室２１２が区画形成されている。また、フレーム２１０には、スピーカ室２１２の対角線上に略位置する状態に、第１の実施の形態の枠状部１１１と同様のブリッジ部１１２が設けられ、これらブリッジ部１１２の先端部には保持部１１３が、それぞれスピーカ室２１２毎に設けられている。
【００３６】
そして、椅子２００には、第１の実施の形態と同様に、それぞれボイスコイル１２３が巻装されたコイルボビン１２２Ｂを有した振動板１２２が、スピーカ室２１２をそれぞれ閉塞する状態に設けられている。また、フレーム２１０の保持部１１３には第１の実施の形態と同様に、磁性体１２１が配設され、スピーカ室２１２内にスピーカ本体１２０が配設されている。さらに、椅子２００には、第１の実施の形態と同様に、振動板を覆う状態、すなわち各スピーカ本体１２０をフレーム２１０とともに内包するように覆い体１３０が設けられ、気密室１３２がそれぞれ区画形成されている。なお、フレーム２１０の区画壁は、側縁が覆い体１３０の内面に接続され、スピーカ室２１２を互いに略気密に区画する。
【００３７】
（椅子の動作）
次に、上記椅子２００の動作を説明する。なお、この第２の実施の形態において、床面１０上で壁面２０に横たえる使用形態を例示するが、これに限られない。
【００３８】
まず、椅子２００を壁面２０に横たえるように床面１０上に載置する。そして、椅子２００の端子１１４に出力装置の音データが出力される出力端子を接続する。そして、出力装置から音データを出力させると、端子１１４に入力された音データの出力の大きさに対応してコイルボビン１２２Ｂが軸方向に移動し、スピーカ室２１２内の各振動板１２２がそれぞれ振動する。この振動により、第１の実施の形態と同様に、各スピーカ室２１２の各気密室１３２がそれぞれ拡縮し、この拡縮に対応して覆い体１３０の接触面部１３１Ａが振動する。このことにより、図５に示すように利用者Ｘが椅子２００にもたれた状態では、利用者Ｘの体格に対応して接触面部１３１Ａが密着する状態となるので、各振動板１２２の振動に応じた気密室１３２内の空気の拡縮に応じた振動が利用者Ｘに良好に伝達され、音データに対応した体感および再生される音の聴取が良好に得られる。
【００３９】
（椅子の作用効果）
上述したように、上記第２の実施の形態では、第１の実施の形態と同様に、磁性体１２１にて形成する磁気回路上に位置するボイスコイル１２３を一体的に設けた薄膜状の振動板１２２の少なくとも一面側を覆い振動板１２２の振動に応じて振動可能な薄膜状の覆い体１３０を設けている。このため、振動板１２２を覆う覆い体１３０が振動板１２２の音データに応じた振動により振動板１２２との間の間隙となる気密室１３２の空気の拡縮により、椅子２００の覆い体１３０におけるスピーカ室２１２に応じた接触面部１３１Ａの領域で同等の振動が得られ、椅子２００のいずれの位置にもたれかかっても、各振動板１２２の振動が直接的に体感として良好に得られ、利用者Ｘの体格や接触する位置を問わず、良好な体感が得られる。
【００４０】
また、第１の実施の形態に加え、背もたれ部分と腰掛け部分との２面に亘る構成でも、フレーム２１０に設けた区画壁により、それぞれの面毎にスピーカ本体１２０を収容するスピーカ室２１２が区画形成でき、椅子２００のように他面に亘る形状でも、いずれの位置で適切に体感が得られる構成が容易に得られる。
【００４１】
〔実施の形態の変形例〕
なお、本発明は、上述した各実施の形態に限定されるものではなく、本発明の目的を達成できる範囲で以下に示される変形をも含むものである。
【００４２】
すなわち、マットレス１００や椅子２００として利用する場合に限らず、例えば図７に示すような腰掛けるクッション３００として利用したり、図８に示す背もたれ要のクッション３００として利用するなどしてもよい。さらには、図９に示すように、２つのクッション３００を用いて椅子２００のように利用したり、２つさらには複数のクッション３００を連結して椅子２００のように構成したり、マットレス１００のように構成したりしてもよい。
【００４３】
また、フレーム１１０，２１０の構成として、例えば図１０に示すように対角線上ではなく各面の略中央より略十字上にブリッジ部１１２を設けたり、放射状に設けたり、平行にブリッジ部１１２を設けたり、１本のブリッジ部１１２にて保持部１１３を保持するなど、磁性体１２１を保持するための構成としては、いずれの構成が利用できる。
【００４４】
さらに、利用者Ｘが直接接触することで体感できる構成としたが、接触面部１３１Ａに手をかざすなどして覆い体１３０の振動を空気の振動を介して体感する構成としてもよい。このような場合には、例えば、図１１に示すスピーカ装置４００のように、硬質の木板などにて枠状部３１１を形成してフレーム３１０を構成したり、振動させたい部分のみすなわち枠状部３１１の一面側のみに覆い体１３０を設け、裏面側にはフレーム３１０を構成する蓋部材３１２にて閉塞するなどしてもよい。なお、図１１は、上記各実施の形態と同一の構成について同一の符号を付している。このように、覆い体１３０のほぼ全面が振動するので、接触せずに手をかざすなどしても、音データに対応した振動が得られる。このことから、例えば音声出力により聴取が困難な利用者などに対しても音データの再生状況が体感により認識可能で、また暗闇や非常待避経路中に設けることにより手探りで移動する必要があるなどの場合でも適切な体感により良好な案内誘導が得られる。また、図１１に示す実施の形態において、蓋部材３１２に外部と連通可能に孔を設け、一面側のみ気密室１３２を略気密に区画したり、蓋部材３１２を設けず他面側を開放した構成としたりするなどしてもよい。このように、他面側に気密室１３２を区画しない構成では、気密室１３２を区画した場合と振動板１２２の振動状況が変わり、体感する振動状況や再生される音データが変化するので、利用形態などに対応して適宜設計すればよい。
【００４５】
また、フレーム１１０，２１０，３１０の枠状部１１１，２１１，３１１に端子１１４を設けて説明したが、例えば覆い体１３０自体に設けるなど、いずれの位置に設けてもよい。また、ボイスコイル１２３に音データに対応した電流が流れる状態に無線媒体を利用して音データを供給するなど、外面に臨む端子を設けない構成としてもよい。
【００４６】
さらに、弁体１４０を設けて説明したが、弁体１４０を設けず気密室１３２内の圧力調整が不可能な構成としてもよい。また、弁体１４０としては、上述したように、気密室１３２内の気体を流入出可能ないずれの構成が利用できる。
【００４７】
第２の実施の形態において、床面１０上に載置して壁面２０に横たえて利用する構成で説明したが、例えばフレーム２１０を変形不可能な硬質部材にて形成することで、壁面に横たえずに利用可能としたり、断面略く字状に折曲した形状の硬質の部材上に椅子２００を載置して利用したり、脚を設けた構成としたり、いずれの構成とすることができる。さらに側板部の屈曲角度を変更可能な構成、例えばリクライニング機構を設けて角度を変更可能とするなどしてもよい。このことにより、マットレス１００と同様な利用形態にも適用でき、汎用性を向上できる。
【００４８】
その他、本発明の実施の際の具体的な構造および手順は、本発明の目的を達成できる範囲で他の構造などに適宜変更できる。
【００４９】
〔実施の形態の効果〕
上述したように、上記実施の形態では、磁性体１２１にて形成する磁気回路上に位置するボイスコイル１２３を一体的に設けた振動板の少なくとも一面側を覆い、振動板１２２の振動に応じて振動可能に薄膜状の覆い体を設けている。このため、振動板１２２を覆う覆い体１３０が振動板１２２の音データに応じた振動により振動板１２２との間の間隙の拡縮により、覆い体１３０のほぼ全面で同等に振動し、覆い体１３０のいずれの位置に接触しても振動板１２２の振動が直接的に体感として良好に得られ、利用者Ｘの体格や接触する位置を問わず、良好な体感が簡単な構成で容易に得られる。
【００５０】
また、上記実施の形態では、磁性体１２１にて形成する磁気回路上に位置するボイスコイル１２３を一体的に設けた振動板の少なくとも一面側に、薄膜状の覆い体を略気密な気密室１３２を区画して振動板１２２の少なくとも一面側を覆って設けている。このため、振動板１２２を覆う覆い体１３０が振動板１２２の音データに応じた振動により振動板１２２との間の気密室１３２の拡縮により覆い体１３０のほぼ全面で同等に振動し、覆い体１３０のいずれの位置に接触しても振動板１２２の振動が直接的に体感として良好に得られ、利用者Ｘの体格や接触する位置を問わず、良好な体感が簡単な構成で容易に得られる。
【００５１】
さらに、上記実施の形態では、薄膜部材にて形成された覆い体１３０内の略気密な内部空間内に、振動板、この振動板に一体的に設けられたボイスコイルおよび磁性体を備えたスピーカ本体を配設している。このため、間隙を介して振動板１２２を覆い体１３０が覆う状態となり、振動板１２２の音データに応じた振動により振動板１２２との間の間隙の拡縮により覆い体１３０のほぼ全面が同等に振動し、覆い体１３０のいずれかの位置に接触しても振動板１２２の振動が直接的に体感として要項に得られ、利用者Ｘの体格や接触する位置を問わず、良好な体感が簡単な構成で容易に得られる。
【図面の簡単な説明】
【００５２】
【図１】本発明のスピーカ装置における第１の実施の形態に係るマットレスの概略構成を示す断面図である。
【図２】前記第１の実施の形態におけるマットレスの概略構成を示す分解斜視図である。
【図３】前記第１の実施の形態におけるマットレスの概略構成を示す弁体の位置における加圧状態の断面図である。
【図４】前記第１の実施の形態におけるマットレスの使用状況を示す説明図である。
【図５】本発明のスピーカ装置における第２の実施の形態に係る椅子の概略構成を示す使用状況の説明図である。
【図６】前記第２の実施の形態におけるフレームを示す斜視図である。
【図７】本発明のスピーカ装置における他の実施の形態に係るクッションの概略構成を示す断面図である。
【図８】前記他の実施の形態に係るクッションの概略構成を示す他の使用状況の説明図である。
【図９】前記他の実施の形態に係るクッションの概略構成を示すさらに他の使用状況の説明図である。
【図１０】本発明のスピーカ装置におけるさらに他の実施の形態に係るフレームの概略構成を示す平面図である。
【図１１】本発明のスピーカ装置におけるさらに他の実施の形態の概略構成を示す断面図である。
【符号の説明】
【００５３】
１００    スピーカ装置としてのマットレス
１１０，２１０，３１０    フレーム
１１１，２１１，３１１    枠状部
１１２    ブリッジ部
１１３    保持部
１２０    スピーカ本体
１２１    磁性体
１２２    振動板
１２３    ボイスコイル
１３０    覆い体
１３２    内部空間としての気密室
１４０    弁体
２００    スピーカ装置としての椅子
３００    スピーカ装置としてのクッション
４００    スピーカ装置
【図１】
2006025370.tif 000003
【図２】
2006025370.tif 000004
【図３】
2006025370.tif 000005
【図４】
2006025370.tif 000006
【図５】
2006025370.tif 000007
【図６】
2006025370.tif 000008
【図７】
2006025370.tif 000009
【図８】
2006025370.tif 000010
【図９】
2006025370.tif 000011
【図１０】
2006025370.tif 000012
【図１１】
2006025370.tif 000013